(57)【要約】【課題】適切な表示応答速度により車両情報を提供する。【解決手段】車両情報の表示に供する表示部３と、車両情報に基いて表示部３の表示を制御する表示用コントローラ４とを備え、表示用コントローラ４は、車両情報に基いて、運転操作の状態を判定する判定部５と、判定部５の判定結果に基いて表示部３で表示する車両情報の表示応答速度を可変する応答速度可変部６とを備える。【選択図】図１
2020067347.tif 000002
【特許請求の範囲】
【請求項１】
車両情報の表示に供する表示部と、
前記車両情報に基いて前記表示部の表示を制御する表示用コントローラとを備え、
前記表示用コントローラは、
前記車両情報に基いて、運転操作の状態を判定する判定部と、
前記判定部の判定結果に基いて前記表示部で表示する前記車両情報の表示応答速度を可変する応答速度可変部とを備える
車両情報表示装置。
【請求項２】
前記表示用コントローラは、
常時、前記運転操作の状態を判定して前記表示応答速度を可変する
請求項１に記載の車両情報表示装置。
【請求項３】
前記表示用コントローラは、
前記表示部で複数項目の前記車両情報を表示し、前記複数項目で連動して前記表示応答速度を可変する
請求項１又は請求項２に記載の車両情報表示装置。
【請求項４】
車両にて前記車両の車両情報を表示する車両情報表示装置の制御方法において、
前記車両情報に基いて、運転操作の状態を判定する判定ステップと、
前記判定ステップの判定結果に基いて前記車両情報の表示応答速度を可変する応答速度可変ステップとを備える
車両情報表示装置の制御方法。
【請求項５】
演算処理回路における実行により所定の処理手順を実行させて、車両にて前記車両の車両情報を表示する車両情報表示装置の制御プログラムにおいて、
前記処理手順は、
前記車両情報に基いて、運転操作の状態を判定する判定ステップと、
前記判定ステップの判定結果に基いて前記車両情報の表示応答速度を可変する応答速度可変ステップとを備える
車両情報表示装置の制御プログラム。
【発明の詳細な説明】
【技術分野】
【０００１】
本発明は、車両情報表示装置、車両情報表示装置の制御方法、車両情報表示装置の制御プログラムに関するものである。
【背景技術】
【０００２】
従来、車両では、速度計、回転計、燃料計、水温計、瞬間燃費計等の計器をインストルメントパネルに配置して車両情報をドライバーに通知する車両情報表示装置が設けられている。
このような車両情報表示装置では、車両から取得される車両情報による信号値を直接表示することなく、例えば所定サンプル数により平均値化して表示することにより、表示応答特性を低速度化して車両情報を表示している。
なおここで表示応答速度は、車両から入力される信号値の変化に対する表示値の変化の速度である。
このような車両情報表示装置に関して、特許文献１には、車両情報の表示応答性に関する工夫が提案されている。
【先行技術文献】
【特許文献】
【０００３】
【特許文献１】特開２００９−１８６３４１号公報
【発明の概要】
【発明が解決しようとする課題】
【０００４】
ところで表示応答速度を高速度化すると、速度計、回転計等において、指針の揺れ、ちらつき等が発生し、表示品質が損なわれることになる。これにより特に穏やかな運転操作においては、ある程度、表示応答速度を低速度化することが望まれる。
しかしながら機敏な運転操作において、表示応答速度が低速度であると、運転操作に対して車両が機敏に反応していないように感じられ、これにより運転操作にストレスを感じさせることになる。
これにより車両情報は、適切な表示応答速度により提供することが望まれる。
【０００５】
本発明は以上の点を考慮してなされたものであり、適切な表示応答速度により車両情報を提供することができる車両情報表示装置、車両情報表示装置の制御方法、車両情報表示装置の制御プログラムを提案することを目的とする。
【課題を解決するための手段】
【０００６】
係る課題を解決するため、請求項１の発明に係る車両情報表示装置は、
車両情報の表示に供する表示部と、
前記車両情報に基いて前記表示部の表示を制御する表示用コントローラとを備え、
前記表示用コントローラは、
前記車両情報に基いて、運転操作の状態を判定する判定部と、
前記判定部の判定結果に基いて前記表示部で表示する前記車両情報の表示応答速度を可変する応答速度可変部とを備える。
【０００７】
請求項１の構成によれば、穏やかな運転操作においては、表示応答速度を低速度化し、機敏な運転操作においては、表示応答速度を高速度化することができ、ドライバーの特性、運転シチュエーションに対して、適切に計器の応答性を持たせることができる。これにより適切な表示応答速度により車両情報を提供することができる。
【０００８】
請求項２の発明に係る車両情報表示装置は、
請求項１の構成において、
前記表示用コントローラは、
常時、前記運転操作の状態を判定して前記表示応答速度を可変する。
【０００９】
請求項２の構成によれば、ドライバーの途中交代、一般道からサーキット等への運転環境の変化等に対応して適切な表示応答速度により車両情報を提供することができる。
【００１０】
請求項３の発明に係る車両情報表示装置は、
請求項１又は請求項２の構成において、
前記表示用コントローラは、
前記表示部で複数項目の前記車両情報を表示し、前記複数項目で連動して前記表示応答速度を可変する。
【００１１】
請求項３の構成によれば、複数項目の車両情報の表示で、統一して表示応答速度を可変することができ、表示器全体として車両情報表示の調和を図り、表示品質を向上することができる。
【００１２】
請求項４の発明は、
車両にて前記車両の車両情報を表示する車両情報表示装置の制御方法において、
前記車両情報に基いて、運転操作の状態を判定する判定ステップと、
前記判定ステップの判定結果に基いて前記車両情報の表示応答速度を可変する応答速度可変ステップとを備える。
【００１３】
請求項４の構成によれば、穏やかな運転操作においては、表示応答速度を低速度化し、機敏な運転操作においては、表示応答速度を高速度化することができ、ドライバーの特性、運転シチュエーションに対して、適切に計器の応答性を持たせることができる。これにより適切な表示応答速度により車両情報を提供することができる。
【００１４】
請求項５の発明は、
演算処理回路における実行により所定の処理手順を実行させて、車両にて前記車両の車両情報を表示する車両情報表示装置の制御プログラムにおいて、
前記処理手順は、
前記車両情報に基いて、運転操作の状態を判定する判定ステップと、
前記判定ステップの判定結果に基いて前記車両情報の表示応答速度を可変する応答速度可変ステップとを備える。
【００１５】
請求項５の構成によれば、穏やかな運転操作においては、表示応答速度を低速度化し、機敏な運転操作においては、表示応答速度を高速度化することができ、ドライバーの特性、運転シチュエーションに対して、適切に計器の応答性を持たせることができる。これにより適切な表示応答速度により車両情報を提供することができる。
【発明の効果】
【００１６】
本発明の車両情報表示装置、車両情報表示装置の制御方法、車両情報表示装置の制御プログラムによれば、適切な表示応答速度により車両情報を提供することができる。
【図面の簡単な説明】
【００１７】
【図１】本発明の実施形態に係る車両情報表示装置を示すブロック図である。
【図２】図１の車両情報表示装置の表示部の説明に供する平面図である。
【図３】図１の車両情報表示装置の動作の説明に供するタイムチャートである。
【発明を実施するための形態】
【００１８】
〔第１実施形態〕
図１は、本発明の第１実施形態に係る車両情報表示装置１を関連する構成と共に示すブロック図である。
車両情報表示装置１は、車両情報を表示する表示装置であり、運転席前方のインストルメントパネルに設置される速度計、回転計、水温計、燃料計、燃費計を一体化したコンビネーションメータである。
このためこの車両情報表示装置１は、車両コントローラ２から表示に供する車両情報を取得し、この車両情報を表示部３で表示する。
【００１９】
ここで車両コントローラ２は、この車両情報表示装置１が搭載されている車両の車両ＥＣＵ（Electronic Control Unit）であり、走行速度、エンジンの回転速度、燃料残量、水温、瞬間燃費等の車両情報を車両情報表示装置１に通知する。
この実施形態では、この車両コントローラ２から通知される車両情報に、運転操作の機敏性を示す情報が含まれる。具体的に、この実施形態では、この機敏性を示す情報にアクセルの開度の情報が適用されるものの、これに代えて、又はこれに加えてブレーキ操作の情報、ハンドル操作の情報等を適用するようにしてもよい。
ここでアクセルの踏み込み速度が速い場合、踏み込み速度が遅い場合に比して、運転操作が機敏であると判断することができる。またブレーキの踏力が大きく、踏み込み速度が速い場合、踏力が小さく、踏み込み速度が遅い場合に比して、運転操作が機敏であると判断することができる。またハンドルの回転操作速度が速い場合、ハンドルの回転操作速度が遅い場合に比して、運転操作が機敏であると判断することができる。
これによりこれらアクセルの開度の情報、ブレーキ操作の情報、ハンドル操作の情報により、機敏性を示す情報を取得することができる。
【００２０】
車両情報表示装置１は、表示部３、表示用コントローラ４を備え、さらに表示用コントローラ４は、判定部５、応答速度可変部６を備える。
車両情報表示装置１は、車両情報表示装置の制御プログラムを演算処理回路による表示用コントローラ４で実行することにより、判定部５、応答速度可変部６が構成される。
これによりこの制御プログラムの実行による処理手順は、判定部５、応答速度可変部６にそれぞれ対応して、対応する処理を実行する判定ステップ、応答速度可変ステップを備える。
【００２１】
表示部３は、車両コントローラ２から通知される車両情報を表示する。ここでこの実施形態では、走行速度、エンジンの回転速度、水温、燃料残量、燃費の車両情報を表示することにより、表示部３は、これらの車両情報を表示可能に構成される。
具体的に、この実施形態において、表示部３は、インストルメントパネルに設置して、これらの車両情報を表示可能な画像表示パネルにより構成され、これにより表示用コントローラ４の制御により走行速度等を表示する。
ここで画像表示パネルは、ＤＭＤ（Ｄｉｇｉｔａｌ  Ｍｉｒｒｏｒ  Ｄｅｖｉｃｅ）、液晶表示パネル、有機ＥＬ（Ｅｌｅｃｔｒｏ  Ｌｕｍｉｎｅｓｃｅｎｃｅ）パネル等、種々の構成を広く適用することができる。
【００２２】
図２は、この表示用コントローラ４の制御による表示部３の構成を示す平面図である。表示部３は、ドライバーの正面の左側に、指針Ｋにより走行速度を示すアナログメータ形式の速度計Ｃ１が設けられる。またドライバーの正面の右側に、指針Ｋによりエンジンの回転速度を示すアナログメータ形式の回転計Ｃ２が設けられる。また速度計Ｃ１の左側には同様の指針Ｋにより水温を示すアナログメータ形式による水温計Ｃ３が設けられ、回転計Ｃ２の右側には同様の指針Ｋにより燃料残量を示すアナログメータ形式による燃料計Ｃ４が設けられる。また速度計Ｃ１、回転計Ｃ２の間、上方には、燃費計Ｃ５が設けられる。
なお車両情報の表示は、これらに限らず、これらの車両情報の一部のみ表示する場合にも適用することができ、また他の車両情報を表示する場合にも適用することができる。
また表示の形式にあっても、アナログメータ形式に限らず、棒グラフ形式により走行速度等を表示する場合、さらには数字の表示により走行速度等を表示する場合等、種々の表示形式を広く適用することができる。
【００２３】
表示用コントローラ４は、この車両からの電源の供給開始により動作を開始し、図示しないメモリに記録された画像データにより表示部３の表示を制御し、これにより図２について上述した、速度計Ｃ１、回転計Ｃ２、水温計Ｃ３、燃料計Ｃ４、燃費計Ｃ５を表示する。また車両コントローラ２から通知される車両情報によりこれら速度計Ｃ１、回転計Ｃ２、水温計Ｃ３、燃料計Ｃ４、燃費計Ｃ５における指針Ｋの位置を可変し、これにより走行速度、回転速度、水温、燃料残量、燃費を表示する。
【００２４】
これら走行速度、回転速度、水温、燃料残量、燃費の表示において、表示用コントローラ４は、順次、車両コントローラ２から入力される車両情報に対する表示応答速度を可変してこれら走行速度等の車両情報を表示し、これにより適切な表示応答速度により車両情報を提供する。
【００２５】
ここで判定部５は、車両情報に基いて、運転操作の状態を判定する。具体的に、判定部５は、車両コントローラ２から通知されるアクセルの開度の情報より、アクセルの踏み込み速度を計測し、この計測値を判定基準値により判定することにより、運転操作の機敏性を判定する。すなわちアクセルの踏み込み速度が速い場合、運転操作が機敏であると判断することができ、またアクセルの踏み込み速度が遅い場合、機敏性が低く、のんびりと運転操作していると判断することができ、アクセルの踏み込み速度がこれらの中間の場合、適度な機敏性により運転操作していると判断することができる。
なおこの機敏性の判定は、アクセルの開度のピーク値を判定して実行してもよく、ブレーキの踏力、踏み込み速度、ハンドルの回転操作速度等を判定して実行しても良く、これらを組み合わせて実行してもよい。
【００２６】
応答速度可変部６は、この判定部５の判定結果に基いて表示部３で表示する車両情報の表示応答速度を可変する。
具体的に、応答速度可変部６は、車両コントローラ２から通知される車両情報を、車両情報の種類毎に、それぞれ所定サンプル数により平均値化して表示することにより、車両情報の変化に係る周波数特性を低減して表示する。応答速度可変部６は、この平均値化の処理に供するサンプル数を、判定部５の判定結果に基いて可変することにより、車両情報の表示応答速度を可変する。
ここでこの実施形態において、応答速度可変部６は、この平均値化の処理に供するサンプル数だけメモリに対応する車両情報が蓄積される毎に、単純平均による平均値化処理を実行すると共に、それまでにメモリに蓄積された車両情報を削除することにより、体感的に好ましい遅延時間を設けて車両情報を表示する。
しかしながらこれに代えて、いわゆる移動平均により平均値化の処理を実行してもよい。
また単純平均による平均値化の処理に代えて、重み付け平均により平均値化するようにして、この重み付け平均に係る重み付け係数の設定により周波数特性を可変して表示応答速度を可変するようにしても良い。
【００２７】
これにより応答速度可変部６は、アクセルの踏み込み速度が速い場合、この平均値化に供するサンプル数を低減して表示応答速度を高速度化し、機敏な運転操作に対して車両が機敏に反応しているように感じられるようにし、運転操作にストレスを感じさせないようにする。
またアクセルの踏み込み速度が遅い場合、この平均値化に供するサンプル数を増大して表示応答速度を低速度化し、指針の揺れ、ちらつき等を防止して表示品質を損なわないようにする。
【００２８】
応答速度可変部６は、走行速度、回転速度、水温、燃料残量、燃費による複数項目の車両情報毎に、この平均値化に供するサンプル数が設定され、これにより車両情報の各項目に応じた表示応答速度により車両情報を提供する。
またこのようにして車両情報の項目毎にサンプル数を設定するようにして、判定部５の判定結果に基いて、これら複数項目の車両情報で連動して表示応答速度を可変する。これにより複数項目の車両情報の表示で、統一して表示応答速度を可変することができ、表示器全体として車両情報表示の調和を図り、表示品質を向上することができる。
なおこれにより必要に応じて表示部で表示する複数項目の車両情報のうちの何れかについてのみ、表示応答特性を可変するようにしてもよい。
またこれら複数項目で個別に表示応答速度を可変するようにしてもよい。
【００２９】
また判定部５、応答速度可変部６は、車両情報表示装置１への電源が供給されている期間の間、常時、運転操作の状態を判定して表示応答速度を可変する。これにより車両情報表示装置１では、ドライバーの途中交代、一般道からサーキット等への運転環境の変化等に対応して適切な表示応答速度により車両情報を提供することができる。
なおこれにより必要に応じて、例えばドライバーの操作により、さらには車両情報表示装置１の設定により、表示応答速度を可変するようにしてもよい。
【００３０】
図３は、このアクセル開度による表示応答速度の制御の説明に供するタイムチャートである。
この図３（Ａ）に示すように、アクセルが一定の速度により期間Ｔで開操作され、この開操作に係る単位時間当たりのアクセルの開度の変化（図３においては、傾きである）がＸｓ、Ｘｍ、Ｘｈであり、Ｘｓ＜Ｘｍ＜Ｘｈである場合、判定部５、応答速度可変部６は、図３（Ｂ）に示すように、メータ応答性をスロー、ミドル、ハイにそれぞれ設定し、表示応答特性を低速度、中速度、高速度に設定する。
なおこのような３段階による表示応答速度の可変に代えて、２段階により可変してもよく、４段階以上により可変してもよい。また段階的な表示応答速度の可変に代えて、連続的に可変するようにしてもよい。
【００３１】
以上の構成によれば、車両情報に基いて、運転操作の状態を判定し、判定結果に基いて車両情報の表示応答速度を可変することにより、穏やかな運転操作においては、表示応答速度を低速度化し、機敏な運転操作においては、表示応答速度を高速度化することができ、ドライバーの特性、運転シチュエーションに対して、適切に計器の応答性を持たせることができる。これにより適切な表示応答速度により車両情報を提供することができる。
【００３２】
また常時、車両の運転操作の状態を判定して表示応答速度を可変することにより、ドライバーの途中交代、一般道からサーキット等への運転環境の変化等に対応して適切な表示応答速度により車両情報を提供することができる。
【００３３】
またさらに表示部で表示する複数項目の車両情報で連動して表示応答速度を可変することにより、複数項目の車両情報の表示で、統一して表示応答速度を可変することができ、表示器全体として車両情報表示の調和を図り、表示品質を向上することができる。
【００３４】
〔他の実施形態〕
以上、本発明の実施に好適な具体的な構成を詳述したが、本発明は、本発明の趣旨を逸脱しない範囲で、上述の実施形態の構成を種々に変更することができる。
【００３５】
すなわち上述の実施形態では、運転席前方のインストルメントパネルに設置される速度計、回転計、水温計、燃料計、燃費計を一体化したコンビネーションメータによる車両情報表示装置に本発明を適用する場合について述べたが、本発明はこれに限らず、助手席に追加で取り付けて車両情報を表示する場合、さらには搭乗者が携帯して情報携帯端末を車両に持ち込んで車両情報を表示する場合等に広く適用することができる。
【符号の説明】
【００３６】
１  車両情報表示装置
２  車両コントローラ
３  表示部
４  表示用コントローラ
５  判定部
６  応答速度可変部
【図１】
2020067347.tif 000003
【図２】
2020067347.tif 000004
【図３】
2020067347.tif 000005